(57)【要約】【課題】  取り扱いが簡単で容易に着脱可能であり使用者の体を簡単に保護することができるベッド柵の保護部材を提供する。【解決手段】  保護部１１，１２は、クッション性を有し外観が袋状のカバー部材であり、繰り返し洗濯可能な布地で縫製されている。保護部１１は、ベッド柵６の全体を覆うようにこのベッド柵６に被せられ装着される。保護部１２は、ベッド１上に横たわる使用者Ｍの頭部Ｍ1に対応する部分を除き、ベッド柵７の一部を覆うようにこのベッド柵７に被せられ装着される。固定部１３，１４は、ベッド柵６に保護部１１を着脱自在に固定し、固定部１５はベッド柵７に保護部１２を着脱自在に固定する。固定部１３〜１５は、ベッド柵６，７に保護部１１，１２が装着された状態で装着口１１ａ，１２ａを開閉自在に連結する面ファスナ１３ｂ，１３ｃ，１４ｂ，１４ｃ，１５ｂ，１５ｃを備えている。【選択図】      図１
2005137461.tif 000002
【特許請求の範囲】
【請求項１】
ベッド上に横たわる使用者の体を保護するベッド柵の保護部材であって、
前記ベッド柵に着脱自在に装着可能であり前記使用者が接触したときにこの使用者の体を保護する保護部を備えること、
を特徴とするベッド柵の保護部材。
【請求項２】
請求項１に記載のベッド柵の保護部材において、
前記ベッド柵に前記保護部を着脱自在に固定する固定部を備えること、
を特徴とするベッド柵の保護部材。
【請求項３】
請求項１又は請求項２に記載のベッド柵の保護部材において、
前記ベッド柵に前記保護部を着脱自在に固定するとともに、前記ベッドに前記ベッド柵を着脱自在に固定する固定部を備えること、
を特徴とするベッド柵の保護部材。
【請求項４】
請求項２又は請求項３に記載のベッド柵の保護部材において、
前記保護部は、前記ベッド柵に被せて装着するための装着口を備え、
前記固定部は、前記ベッド柵に前記保護部が装着された状態で前記装着口を開閉自在に連結する面ファスナ及び／又は連結具を備えること、
を特徴とするベッド柵の保護部材。
【請求項５】
請求項２に記載のベッド柵の保護部材において、
前記保護部は、前記ベッド柵に被せて装着するための装着口を備え、
前記固定部は、前記装着口の周囲にこの装着口を伸縮させる伸縮ゴム部を備えること、
を特徴とするベッド柵の保護部材。
【請求項６】
請求項１から請求項５までのいずれか１項に記載のベッド柵の保護部材において、
前記保護部は、前記ベッド柵の全体を覆うようにこのベッド柵に装着可能であること、
を特徴とするベッド柵の保護部材。
【請求項７】
請求項１から請求項５までのいずれか１項に記載のベッド柵の保護部材において、
前記保護部は、前記ベッド上に横たわる前記使用者の頭部に対応する部分を除き、前記ベッド柵の一部を覆うようにこのベッド柵に装着可能であること、
を特徴とするベッド柵の保護部材。
【請求項８】
請求項１から請求項７までのいずれか１項に記載のベッド柵の保護部材において、
前記保護部は、洗濯可能な布地で縫製されていること、
を特徴とするベッド柵の保護部材。
【請求項９】
請求項１から請求項８までのいずれか１項に記載のベッド柵の保護部材において、
前記保護部は、ベッド柵の外側に物品を収容する収容部を備えること、
を特徴とするベッド柵の保護部材。
【発明の詳細な説明】
【技術分野】
【０００１】
この発明は、ベッド上に横たわる使用者の体を保護するベッド柵の保護部材に関する。
【背景技術】
【０００２】
従来のベッド柵の保護部材は、合成樹脂製の柵本体部と、この柵本体部と一体に形成されベッドの側フレームの取付孔に着脱自在に差し込まれる支柱部とを備えている（例えば、特許文献１参照）。このような従来のベッド柵の保護部材では、柵本体部によって金属部分が被覆されているため、使用者が就寝時に柵本体部に手足をぶつけても、使用者が金属部分に直接当たるのを柵本体部が阻止し使用者に苦痛を与えることがない。
【０００３】
【特許文献１】特開2002-253622（段落番号0009〜0010及び図２）
【発明の開示】
【発明が解決しようとする課題】
【０００４】
従来のベッド柵の保護部材は、柵本体部と支柱部とが一体に形成されている。このため、柵本体部を清掃するときには、柵本体部を持ち上げて取付孔から支柱部を取り外す必要があり、着脱や清掃に手間がかかるという問題があった。また、従来のベッド柵の保護部材は、柵本体部が厚みのある板状の部材で形成されている。このため、ベッド上に横たわる使用者を囲むように柵本体部をベッドに装着した場合には、使用者にとって閉塞感があり不快感を与えるという問題があった。特に、柵本体部を使用者の頭部付近に取り付けた場合には、使用者が横たわった姿勢でテレビを観ることが困難であり、使用者の顔を観察したり使用者と同じ目線で話をしたりすることが困難になるという問題があった。さらに、従来のベッド柵の保護部材は、柵本体部の固定方法が取付孔に支柱部を差し込むだけであるため、柵本体部を無意識に使用者が持ち上げた場合には、柵本体部がベッドから簡単に取り外されてしまうという問題があった。
【０００５】
この発明の課題は、取り扱いが簡単で容易に着脱可能であり使用者の体を簡単に保護することができるベッド柵の保護部材を提供することである。
【課題を解決するための手段】
【０００６】
この発明は、以下に記載するような解決手段により、前記課題を解決する。
なお、この発明の実施形態に対応する符号を付して説明するが、この実施形態に限定するものではない。
請求項１の発明は、ベッド（１）上に横たわる使用者（Ｍ）の体を保護するベッド柵（６，７）の保護部材であって、前記ベッド柵に着脱自在に装着可能であり前記使用者が接触したときにこの使用者の体を保護する保護部（１１，１２）を備えることを特徴とするベッド柵の保護部材（９，１０）である。
【０００７】
請求項２の発明は、請求項１に記載のベッド柵の保護部材において、前記ベッド柵に前記保護部を着脱自在に固定する固定部（１３〜１５；２２）を備えることを特徴とするベッド柵の保護部材である。
【０００８】
請求項３の発明は、請求項１又は請求項２に記載のベッド柵の保護部材において、前記ベッド柵に前記保護部を着脱自在に固定するとともに、前記ベッドに前記ベッド柵を着脱自在に固定する固定部（１９〜２１）を備えることを特徴とするベッド柵の保護部材である。
【０００９】
請求項４の発明は、請求項２又は請求項３に記載のベッド柵の保護部材において、前記保護部（１１，１２）は、前記ベッド柵（６，７）に被せて装着するための装着口（１１ａ，１２ａ）を備え、前記固定部（１３〜１５；１９〜２１）は、前記ベッド柵に前記保護部が装着された状態で前記装着口を開閉自在に連結する面ファスナ（１３ｂ，１３ｃ，１４ｂ，１４ｃ，１５ｂ，１５ｃ）及び／又は連結具（１９ｂ，２０ｂ，２１ｂ）を備えることを特徴とするベッド柵の保護部材（９，１０）である。
【００１０】
請求項５の発明は、請求項２に記載のベッド柵の保護部材において、前記保護部（１１）は、前記ベッド柵（６）に被せて装着するための装着口（１１ａ）を備え、前記固定部（２２）は、前記装着口の周囲にこの装着口を伸縮させる伸縮ゴム部（２２ａ）を備えることを特徴とするベッド柵の保護部材（９）である。
【００１１】
請求項６の発明は、請求項１から請求項５までのいずれか１項に記載のベッド柵の保護部材において、前記保護部（１１）は、前記ベッド柵の全体を覆うようにこのベッド柵に装着可能であることを特徴とするベッド柵の保護部材（９）である。
【００１２】
請求項７の発明は、請求項１から請求項５までのいずれか１項に記載のベッド柵の保護部材において、前記保護部（１２）は、前記ベッド上に横たわる前記使用者の頭部（Ｍ1）に対応する部分を除き、前記ベッド柵（７）の一部を覆うようにこのベッド柵に装着可能であることを特徴とするベッド柵の保護部材（１０）である。
【００１３】
請求項８の発明は、請求項１から請求項７までのいずれか１項に記載のベッド柵の保護部材において、前記保護部（１１，１２）は、洗濯可能な布地で縫製されていることを特徴とするベッド柵の保護部材である。
【００１４】
請求項９の発明は、請求項１から請求項８までのいずれか１項に記載のベッド柵の保護部材において、前記保護部（１１，１２）は、ベッド柵の外側に物品を収容する収容部（１６〜１８）を備えることを特徴とするベッド柵の保護部材である。
【発明の効果】
【００１５】
この発明によると、取り扱いが簡単で容易に着脱可能であり使用者の体を簡単に保護することができる。
【発明を実施するための最良の形態】
【００１６】
（第１実施形態）
以下、図面を参照して、この発明の第１実施形態について詳しく説明する。
図１は、この発明の第１実施形態に係るベッド柵の保護部材の斜視図である。図２は、この発明の第１実施形態に係るベッド柵の保護部材をベッド柵に装着した状態を示す斜視図である。図３は、この発明の第１実施形態に係るベッド柵の保護部材の大型タイプの縦断面図である。図４は、この発明の第１実施形態に係るベッド柵の保護部材の小型タイプの縦断面図である。
【００１７】
使用者Ｍは、ベッド１上に横たわる患者である。使用者Ｍは、例えば、右半身が麻痺している患者、自力で起居動作が不可能な患者、寝たきりの患者などである。図１及び図２に示す使用者Ｍは、右手が麻痺しているが左手が利く患者であり、全体として体が左側に寄っておりベッド柵６，７に顔や手足が圧迫された状態である。
【００１８】
ベッド１は、使用者Ｍを横たえるための器具であり、図１〜図４に示すように、ヘッドボード２と、フットボード３と、マットレス４と、ボトムフレーム５と、ベッド柵６，７と、サイドフレーム８などから構成されている。図１及び図２に示すヘッドボード２は、使用者Ｍの頭部Ｍ1側に設置された板状部材であり、フットボード３は使用者Ｍの足側に設置された板状部材であり、マットレス４は使用者Ｍの下に敷かれる敷布団である。図３及び図４に示すボトムフレーム５は、マットレス４を支持する支持部材であり、ヘッドボード２とフットボード３との間に間隔をあけて複数平行に配置されている。
【００１９】
ベッド柵６，７は、ベッド１上から使用者Ｍが転落するのを防止する部材である。ベッド柵６，７は、転落防止の機能以外に使用者Ｍがベッド１上から立ち上がる際に使用可能な手すりとしても機能する。ベッド柵６，７は、使用者Ｍの診察時や移動時、柵本体部６ａ，７ａの消毒時や清掃時などに取り外し可能なように着脱自在に設置されており、ベッド柵６は使用者Ｍの下半身側（フットボード３側）に設置されており、ベッド柵７は使用者Ｍの上半身側（ヘッドボード２側）に設置されている。ベッド柵６，７は、片側又は両側のいずれにも設置可能であり通常１個〜４個設置される。ベッド柵６，７は、いずれも同一構造であり、以下ではベッド柵６について説明しベッド柵６側の部分と対応するベッド柵７側の部分については対応する符号を付して詳細な説明を省略する。ベッド柵６は、図１及び図２に示すように、複数のパイプによって格子状に形成した柵本体部６ａと、この柵本体部６ａと一体に形成されこの柵本体部６ａを支持する支柱部６ｂ，６ｃとから構成されている。
【００２０】
図３及び図４に示すサイドフレーム８は、ベッド柵６，７を着脱自在に支持する部材である。サイドフレーム８は、図３及び図４に示すように、ボトムフレーム５の両端部を支持しており、ヘッドボード２とフットボード３との間に間隔をあけて平行に設置されている。サイドフレーム８の上面には、支柱部６ｂ，６ｃ，７ｂ，７ｃを刺し込みベッド柵６，７を着脱自在に取り付けるための取付孔８ａが所定の間隔をあけて長さ方向に形成されている。
【００２１】
保護部材９，１０は、ベッド１上に横たわる使用者Ｍの体を保護する部材である。保護部材９は、図１及び図２に示すように、ベッド柵６と略同一の大きさに形成されておりベッド柵６に着脱自在に装着される大型タイプのものである。保護部材１０は、ベッド柵７の略半分の大きさに形成されておりベッド柵７に着脱自在に装着される小型タイプのものである。保護部材９，１０は、図１及び図２に示すように、保護部１１，１２と、固定部１３〜１５と、収容部１６〜１８とを備えている。
【００２２】
保護部１１，１２は、ベッド柵６，７に着脱自在に装着可能であり使用者Ｍが接触したときにこの使用者Ｍの体を保護する保護カバー部である。保護部１１，１２は、図１に示すように、ベッド柵６，７に被せて装着するための装着口１１ａ，１２ａを備えており、クッション性を有し外観が袋状のカバー部材である。保護部１１，１２は、繰り返し洗濯可能な布地で縫製されており、このような布地としては綿や絹などの織物やニットなどが好ましく、使用者Ｍの気分を和らげるような明るい雰囲気の絵柄を有する布地を使用することが好ましい。特に、患者の顔や手足が直接触れても肌触りが良好で吸湿性に優れ、化繊などに対してアレルギー反応を示すような患者にも使用可能な綿が好ましい。保護部１１は、図２に示すように、ベッド柵６の全体を覆うようにこのベッド柵６に被せられ装着される。保護部１２は、図２に示すように、ベッド１上に横たわる使用者Ｍの頭部Ｍ1に対応する部分を除き、ベッド柵７の一部を覆うようにこのベッド柵７に被せられ装着される。図１に示すように、保護部１１は装着口１１ａを上方向からベッド柵６に被せて装着され、保護部１２は装着口１２ａを左右方向からベッド柵７に被せて装着される。
【００２３】
固定部１３，１４は、ベッド柵６に保護部１１を着脱自在に固定する部材であり、固定部１５はベッド柵７に保護部１２を着脱自在に固定する部材である。固定部１３〜１５は、図１及び図２に示すように、いずれも同一構造であり、フラップ部１３ａ，１４ａ，１５ａと面ファスナ１３ｂ，１３ｃ，１４ｂ，１４ｃ，１５ｂ，１５ｃとを備えている。
【００２４】
フラップ部１３ａ，１４ａ，１５ａは、外観が舌状の部材であり、保護部１１，１２と同様に繰り返し洗濯可能な布地で縫製されている。フラップ部１３ａ，１４ａは、図２に示すように、保護部１１がベッド柵６に装着されたときに、このベッド柵６の支柱部６ｂと支柱部６ｃとの間の隙間に位置するように保護部１１に縫い付けられている。フラップ部１５ａは、保護部１２がベッド柵７に装着されたときに、このベッド柵７の柵本体部７ａの隙間に位置するように保護部１２に縫い付けられている。フラップ部１３ａ，１４ａ，１５ａは、使用者Ｍが勝手に取り外さないように使用者Ｍの手の届く範囲外に取り付けられている。
【００２５】
図１に示す面ファスナ１３ｂ，１３ｃ，１４ｂ，１４ｃ，１５ｂ，１５ｃは、ベッド柵６，７に保護部１１，１２が装着された状態で装着口１１ａ，１２ａを開閉自在に連結するファスナ（例えば、商品名：マジックテープ）である。面ファスナ１３ｂ，１３ｃは、フラップ部１３ａと保護部１１とを着脱自在に連結し、面ファスナ１４ｂ，１４ｃはフラップ部１４ａと保護部１１とを着脱自在に連結し、面ファスナ１５ｂ，１５ｃはフラップ部１５ａと保護部１２とを着脱自在に連結する。面ファスナ１３ｂ，１４ｂ，１５ｂは、フラップ部１３ａ，１４ａ，１５ａがそれぞれ折り返されたときに、面ファスナ１３ｃ，１４ｃ，１５ｃと対向するように保護部１１，１２の表面に縫い付けられている。面ファスナ１３ｃ，１４ｃ，１５ｃは、フラップ部１３ａ，１４ａ，１５ａの先端部にそれぞれ縫い付けられている。面ファスナ１３ｂ，１３ｃには、一方の表面に多数の突起部が形成されており、他方の表面にこれらの突起部と引っ掛かる環状部が形成されている。面ファスナ１４ｂ，１４ｃ及び面ファスナ１５ｂ，１５ｃについても面ファスナ１３ｂ，１３ｃと同様に突起部と環状部とが形成されている。
【００２６】
収容部１６〜１８は、ベッド柵６，７の外側に物品を収容する部分であり、図１に示すようにいずれも外観がポケット状に形成されている。収容部１６，１７は、保護部１１をベッド柵６に装着したときにこのベッド柵６の外側に位置し、収容部１８は保護部１２をベッド柵７に装着したときにこのベッド柵７の外側に位置する。収容部１６〜１８は、保護部１１，１２と同様に繰り返し洗濯可能な布地で縫製されており保護部１１，１２に縫い付けられている。
【００２７】
次に、この発明の第１実施形態に係るベッド柵の保護部材の作用を説明する。
例えば、右手が麻痺し左手が利く患者の場合には、体全体が左側に寄る傾向があるため、図１に示すようにベッド柵６，７に使用者Ｍの顔や手足が圧迫されることがある。この場合には、使用者Ｍから見て左側のベッド柵６の柵本体部６ａに上下方向から保護部１１の装着口１１ａを被せるとともに、使用者Ｍから見て左側のベッド柵７の柵本体部７ａに左右方向から保護部１２の装着口１２ａを被せる。次に、図２及び図３に示すように、柵本体部６ａとサイドフレーム８との間の隙間にフラップ部１３ａ，１４ａを通過させて、面ファスナ１３ｂ，１４ｂと面ファスナ１３ｃ，１４ｃとを接合すると、ベッド柵６に保護部材９が装着される。同様に、図２及び図４に示すように、柵本体部７ａの隙間にフラップ部１５ａを通過させて、面ファスナ１５ｂと面ファスナ１５ｃとを接合すると、ベッド柵７に保護部材１０が装着される。その結果、使用者Ｍがベッド柵６，７に顔や手足が押し付けられても使用者Ｍの体とベッド柵６，７との間に保護部１１，１２が存在するため、使用者Ｍとベッド柵６，７との間に生ずる押付力が緩和される。
【００２８】
この発明の第１実施形態に係るベッド柵の保護部材には、以下に記載するような効果がある。
(1) この第１実施形態では、保護部１１，１２がベッド柵６，７に着脱自在に装着可能であり、使用者Ｍが接触したときにこの使用者Ｍの体をこの保護部１１，１２が保護する。このため、使用者Ｍとベッド柵６，７とが直接接触したときに使用者Ｍに作用する押付力をこれらの間に存在する保護部１１，１２が緩和するため、使用者Ｍの体の一部がベッド柵６，７によって強く圧迫されるのを防止することができる。その結果、使用者Ｍの姿勢を観察するために病室を頻繁に巡回する必要がなくなるとともに、使用者Ｍに注意したり使用者Ｍの体を元の状態に戻したりする手間を省くことができる。また、使用者Ｍとベッド柵６，７とが直接接触しないようにこれらの間に丸めた布団や枕などを挟み込む場合に比べて、使用者Ｍに窮屈感を与えることがなく使用者Ｍがベッド１上で動作可能なスペースを確保することができる。
【００２９】
(2) この第１実施形態では、固定部１３〜１５がベッド柵６，７に保護部１１，１２を着脱自在に固定する。その結果、洗濯時や清掃時などにはベッド柵６，７から保護部１１，１２を簡単に取り外すことができるとともに、既存のベッド柵６，７に保護部１１，１２を簡単に装着することができる。また、使用者Ｍによってベッド柵６，７から保護部１１，１２が不用意に取り外されてしまうのを防止することができる。さらに、従来のベッド柵の保護部材のような保護部が一体に形成されたベッド柵を購入する必要がなくなり、コストを削減することができる。
【００３０】
(3) この第１実施形態では、ベッド柵６，７に保護部１１，１２が装着された状態で装着口１１ａ，１２ａを開閉自在に連結する面ファスナ１３ｂ，１３ｃ，１４ｂ，１４ｃ，１５ｂ，１５ｃを固定部１３〜１５が備える。その結果、装着口１１ａ，１２ａを容易に開閉することができるため、保護部１１，１２をベッド柵６，７に簡単に着脱することができる。
【００３１】
(4) この第１実施形態では、ベッド柵６の全体を覆うようにこのベッド柵６に保護部１１が装着可能である。このため、使用者Ｍの体の一部がベッド柵６の隙間から突き出すのを防止することができる。
【００３２】
(5) この第１実施形態では、ベッド１上に横たわる使用者Ｍの頭部Ｍ1に対応する部分を除き、ベッド柵７の一部を覆うようにこのベッド柵７に保護部１２が装着可能である。その結果、使用者Ｍの頭部Ｍ1を保護部１２が覆うことがないため使用者Ｍに閉塞感を与えることがなく、ベッド１上に使用者Ｍが横たわった姿勢でテレビなどを観賞することができるとともに、ベッド柵７の外側から使用者Ｍと同じ目線で会話したり使用者Ｍの顔を観察したりすることができる。
【００３３】
(6) この第１実施形態では、保護部１１，１２が洗濯可能な布地で縫製されている。その結果、保護部１１，１２が汚れた場合にはベッド柵６，７から保護部１１，１２を取り外して洗濯し、保護部１１，１２を清潔な状態に維持することができる。また、バスタオルなどを利用して保護部１１，１２を縫製する場合には、ある程度の伸縮性と張りを有する保護部１１，１２を安価に製造することができる。さらに、保護部１１，１２が絵柄を有する場合にはベッド１の周囲を明るい雰囲気にすることができる。
【００３４】
(7) この第１実施形態では、ベッド柵６，７の外側に物品を収容する収容部１６〜１８を保護部１１，１２が備える。その結果、使用頻度の高いオムツ、尿取りパット、体温計などの小物類を収容部１６〜１８に収容することができるため利便性を向上させることができる。
【００３５】
（第２実施形態）
図５は、この発明の第２実施形態に係るベッド柵の保護部材の斜視図である。図６は、この発明の第２実施形態に係るベッド柵の保護部材をベッド柵に装着した状態を示す斜視図である。図７は、この発明の第２実施形態に係るベッド柵の保護部材の大型タイプの縦断面図である。図８は、この発明の第２実施形態に係るベッド柵の保護部材の固定部の平面図であり、図８（Ａ）は連結状態を示す平面図であり、図８（Ｂ）は分離状態を示す平面図である。図９は、この発明の第２実施形態に係るベッド柵の保護部材の固定部の一部を破断して示す平面図であり、図９（Ａ）は連結状態を示す平面図であり、図９（Ｂ）は分離状態を示す平面図である。以下では、図１〜図４に示す部分と同一の部分については同一の番号を付して詳細な説明を省略する。
【００３６】
保護部材９は、ベッド柵６に保護部１１を着脱自在に固定するとともにベッド１にベッド柵６を着脱自在に固定する固定部１９，２０を備えており、保護部材１０はベッド柵７に保護部１２を着脱自在に固定するとともにベッド１にベッド柵７を着脱自在に固定する固定部２１を備えている。固定部１９〜２１は、図５〜図７に示すように、いずれも同一構造であり、固定ベルト１９ａ，２０ａ，２１ａと連結具１９ｂ，２０ｂ，２１ｂとを備えている。
【００３７】
固定ベルト１９ａ，２０ａ，２１ａは、外観が帯状の部材である。固定ベルト１９ａ，２０ａ，２１ａは、図１〜図４に示す保護部１１，１２と同様に繰り返し洗濯可能な布地で縫製することが好ましく、床面近くに設置されるため抗菌処理された布地を使用することが好ましい。固定ベルト１９ａ，２０ａ，２１ａは、図６及び図７に示すように、保護部１１，１２の内側に縫い付けられており、固定ベルト１９ａ，２０ａ，２１ａの両端部は所定長さ分だけ保護部１１，１２の下端から露出している。
【００３８】
連結具１９ｂ，２０ｂ，２１ｂは、ベッド柵６，７に保護部１１，１２が装着された状態で装着口１１ａ，１２ａを開閉自在に連結する部材である。連結具１９ｂ，２０ｂ，２１ｂは、いずれも同一構造であり、以下では連結具１９ｂについて説明し連結具２０ｂ，２１ｂ側の部分については連結具１９ｂ側の部分と対応する符号を付して詳細な説明を省略する。連結具１９ｂは、図７及び図８に示すように、互いに連結及び分離可能な合成樹脂製の雄連結部材１９ｃと雌連結部材１９ｄとから構成されている。雄連結部材１９ｃは、図８及び図９に示すように、固定ベルト１９ａの端部を折り返してこの固定ベルト１９ａの長さを調整する長さ調整部１９ｅと、連結具１９ｂを分離するときに操作される操作部１９ｆ，１９ｇと、操作部１９ｆ，１９ｇと一体に形成され操作部１９ｆ，１９ｇが矢印方向に押されると撓む可撓部１９ｈ，１９ｉと、可撓部１９ｈ，１９ｉの端部に形成されたフック部１９ｊ，１９ｋと、長さ調整部１９ｅの突出部と一体に形成されたガイド溝１９ｍ，１９ｎとを備えている。雌連結部材１９ｄは、ガイド溝１９ｍ，１９ｎと嵌合可能であり着脱時にガイド溝１９ｍ，１９ｎにガイドされるガイド部１９ｐ，１９ｑと、連結時にはフック部１９ｊ，１９ｋと嵌合し分離時にはフック部１９ｊ，１９ｋから離脱する突出部１９ｒ，１９ｓとを備えている。
【００３９】
次に、この発明の第２実施形態に係るベッド柵の保護部材の作用を説明する。
図５に示すように、ベッド柵６，７に保護部材９，１０を装着した後に、図６に示すようにサイドフレーム８と床面との間の隙間に固定ベルト１９ａ，２０ａ，２１ａを通過させて、雄連結部材１９ｃ，２０ｃ，２１ｃを雌連結部材１９ｄ，２０ｄ，２１ｄに差し込む。その結果、図９に示すように、突出部１９ｒ，１９ｓがフック部１９ｊ，１９ｋと嵌合して、雄連結部材１９ｃが雌連結部材１９ｄに固定され、図６に示すように固定ベルト１９ａの両端部が連結具１９ｂによって連結される。図５に示す連結具２０ｂ，２１ｂについても同様に操作されると、図６に示すようにベッド柵６，７に保護部材９，１０が固定されるとともに、ベッド１にベッド柵６，７が固定される。固定ベルト１９ａ，２０ａ，２１ａによる締付力が弱いときには、図５に示す固定ベルト１９ａ，２０ａ，２１ａの端部を引っ張る。その結果、長さ調整部１９ｅ，２０ｅ，２１ｅによって固定ベルト１９ａ，２０ａ，２１ａの長さが調整されて、固定ベルト１９ａ，２０ａ，２１ａとサイドフレーム８とが密着する。固定部１９を固定解除するときには、図９（Ｂ）に示すように操作部１９ｆ，１９ｇを矢印方向に押す。その結果、可撓部１９ｈ，１９ｉが撓みフック部１９ｊ，１９ｋが突出部１９ｒ，１９ｓから離間して、固定ベルト１９ａの両端部が連結具１９ｂによって分離される。図５に示す連結具２０ｂ，２１ｂについても同様の操作がされると、ベッド柵６，７から保護部１１，１２が取り外し可能な状態になる。
【００４０】
この発明の第２実施形態に係るベッド柵の保護部材には、第１実施形態の効果に加えて以下に記載するような効果がある。
(1) この第２実施形態では、固定部１９〜２１がベッド柵６，７に保護部１１，１２を着脱自在に固定するとともにベッド１に保護部１１，１２を着脱自在に固定する。その結果、使用者Ｍがベッド柵６，７を取り外してベッド１上から転落する危険を防止することができる。
【００４１】
(2) この第２実施形態では、ベッド柵６，７に保護部１１，１２が装着された状態で装着口１１ａ，１２ａを開閉自在に連結具１９ｂ，２０ｂ，２１ｂが連結する。その結果、保護部１１，１２及びベッド柵６，７を簡単に着脱することができる。また、ベッド柵６，７が容易に取り外されないようにベッド柵６，７とサイドフレーム８とを紐や包帯などで結んだり、ベッド柵６，７の隣接する端部同士を重ね合わせて装着したり紐や包帯で結んだりするような手間のかかる作業を省略することができる。
【００４２】
（第３実施形態）
図１０は、この発明の第３実施形態に係るベッド柵の保護部材の斜視図である。
固定部２２は、装着口１１ａの周囲にこの装着口１１ａを伸縮させる伸縮ゴム部２２ａを備える。伸縮ゴム部２２ａは、図１０及び図１１に示すように、装着口１１ａの内周部を囲むように保護部１１の内側に円環状に縫い付けられている。ベッド柵６に保護部１１を装着するときには、伸縮ゴム部２２ａの弾性力に抗して装着口１１ａを手で広げベッド柵６に被せる。ベッド柵６に保護部１１を装着した後に装着口１１ａから手を離すと、伸縮ゴム部２２ａの弾性力によって装着口１１ａが縮むため、支柱部６ｂ，６ｃが装着口１１ａによって締め付けられ保護部１１がベッド柵６に固定される。この第３実施形態では、装着口１１ａの周囲にこの装着口１１ａを伸縮させる伸縮ゴム部２２ａを保護部１１が備えるため、大きさや形状などの異なる数種類のベッド柵についても保護部１１を着脱自在に装着することができる。
【００４３】
（他の実施形態）
この発明は、以上説明した実施形態に限定するものではなく、以下に記載するように種々の変形又は変更が可能であり、これらもこの発明の範囲内である。
(1) この実施形態では、片側のベッド柵６，７に保護部材９，１０を装着した場合を例に挙げて説明したが、全てのベッド柵６，７に保護部材９，１０を装着することもできる。また、この実施形態では、保護部１１，１２を綿などの布地で縫製した場合を例に挙げて説明したが、二枚の布地の間に心材を挟み込んだ織物生地（キルティング）などを保護部１１，１２に使用することもできる。
【００４４】
(2) この実施形態では、右半身が麻痺して患者などが横たわるベッド１を例に挙げて説明したがこれに限定するものではない。例えば、成人用ベッドだけではなく小児病棟などで使用される子供用ベッドについてもこの発明を適用することができる。また、病院用ベッドだけではなく家庭用ベッドなどについてもこの発明を適用することができる。この第１実施形態及び第２実施形態では、固定部１３〜１５又は固定部１９〜２１をそれぞれ別個に備える保護部１１，１２を例に挙げて説明したが、これらを全て保護部１１，１２が備えるように構成することもできる。
【００４５】
(3) この第２実施形態では、連結具１９ｂ，２０ｂ，２１ｂを例に挙げて説明したがこのような構造に限定するものではなく、他の構造の連結具についてもこの発明を適用することができる。また、この第２実施形態では、固定部１９〜２１によってベッド柵６，７をベッド１に固定しているが、固定部１９〜２１を保護部１１，１２から分離してベッド柵６，７とサイドフレーム８とを直接締結してベッド柵６，７をベッド１に固定することもできる。さらに、この第３実施形態では、保護部１１が伸縮ゴム部２２ａのみを備える場合を例に挙げて説明したが、固定部１９〜２１を保護部１１が備えるように構成することもできる。
【図面の簡単な説明】
【００４６】
【図１】この発明の第１実施形態に係るベッド柵の保護部材の斜視図である。
【図２】この発明の第１実施形態に係るベッド柵の保護部材をベッド柵に装着した状態を示す斜視図である。
【図３】この発明の第１実施形態に係るベッド柵の保護部材の大型タイプの縦断面図である。
【図４】この発明の第１実施形態に係るベッド柵の保護部材の小型タイプの縦断面図である。
【図５】この発明の第２実施形態に係るベッド柵の保護部材の斜視図である。
【図６】この発明の第２実施形態に係るベッド柵の保護部材をベッド柵に装着した状態を示す斜視図である。
【図７】この発明の第２実施形態に係るベッド柵の保護部材の大型タイプの縦断面図である。
【図８】この発明の第２実施形態に係るベッド柵の保護部材の固定部の平面図であり、（Ａ）は連結状態を示す平面図であり、（Ｂ）は分離状態を示す平面図である。
【図９】この発明の第２実施形態に係るベッド柵の保護部材の固定部の一部を破断して示す平面図であり、（Ａ）は連結状態を示す平面図であり、（Ｂ）は分離状態を示す平面図である。
【図１０】この発明の第３実施形態に係るベッド柵の保護部材の斜視図である。
【符号の説明】
【００４７】
１  ベッド
６，７  ベッド柵
８  サイドフレーム
９，１０  保護部材
１１，１２  保護部
１１ａ，１２ａ  装着口
１３〜１５  固定部
１３ａ，１４ａ，１５ａ  フラップ部
１３ｂ，１３ｃ，１４ｂ，１４ｃ，１５ｂ，１５ｃ  面ファスナ
１６〜１８  収容部
１９〜２１  固定部
１９ａ，２０ａ，２１ａ  固定ベルト
１９ｂ，２０ｂ，２１ｂ  連結具
２２  固定部
２２ａ  伸縮ゴム部
Ｍ  使用者
Ｍ1   頭部
【図１】
2005137461.tif 000003
【図２】
2005137461.tif 000004
【図３】
2005137461.tif 000005
【図４】
2005137461.tif 000006
【図５】
2005137461.tif 000007
【図６】
2005137461.tif 000008
【図７】
2005137461.tif 000009
【図８】
2005137461.tif 000010
【図９】
2005137461.tif 000011
【図１０】
2005137461.tif 000012